(57)【特許請求の範囲】
【請求項１】
パルス信号を生成する信号生成回路（１１）、及び該信号生成回路（１１）により生成されたパルス信号に対する入力端子（ｔ１，ｔ２，ｔ３，ｔ４）を有し、入力されたパルス信号に応じた信号を発信する発信回路（１２）を備える発信装置（１）と、盗難を防止すべき対象物への取付け状態を検出する検出回路（２４）、前記発信装置（１）から発信された信号を受信する受信回路（２１）、及び該受信回路（２１）が受信した信号の解析を行う信号解析部（２２）を備え、前記検出回路（２４）による検出結果又は前記信号解析部（２２）による解析結果に基づき警報を出力すべくなしてある盗難防止タグ（２）とを備える盗難防止システム（１，２）において、
前記信号生成回路（１１）は、生成するパルス信号のパルス幅を変更可能になしてあり、前記信号解析部（２２）は、受信した信号の振幅が所定値より大きい場合にのみ、解析すべくなしてあることを特徴とする盗難防止システム（１，２）。
【請求項２】
前記発信回路（１２）から発信される信号は、前記発信回路（１２）に入力するパルス信号を変調させた信号であることを特徴とする請求項１に記載の盗難防止システム（１，２）。
【請求項３】
前記信号解析部（２２）は、受信した信号の周波数に係る情報を取得すべくなしてあることを特徴とする請求項１又は請求項２に記載の盗難防止システム（１，２）。
【請求項４】
盗難を防止すべき対象物への取付け状態を検出する検出回路（２４）と、前記発信装置（１）から発信された信号を受信する受信回路（２１）と、該受信回路（２１）が受信した信号の解析を行う信号解析部（２２）とを備え、前記検出回路（２４）による検出結果又は前記信号解析部（２２）による解析結果に基づき警報を出力すべくなしてある盗難防止タグ（２）において、
前記信号解析部（２２）は、受信した信号の振幅が所定値より大きい場合にのみ、解析すべくなしてあることを特徴とする盗難防止タグ（２）。
【請求項５】
前記信号解析部（２２）は、受信した信号の周波数に係る情報を取得すべくなしてあることを特徴とする請求項４に記載の盗難防止タグ（２）。
【発明の詳細な説明】
【０００１】
【発明の属する技術分野】
本発明は、対象物の盗難を防止すべく警報を出力する盗難防止タグと該盗難防止タグが警報を出力するための所定信号を発信する発信装置とを備える盗難防止システム、該盗難防止システムに利用される盗難防止タグに関する。
【０００２】
【従来の技術】
従来、コンパクトディスク、ソフトウェア・パッケージ等の商品を陳列して販売する販売店では、これらの商品の盗難を防止するために、以下で説明する盗難防止システムを採用していることが多い。
【０００３】
図１０は、従来の盗難防止システムを説明する模式図である。
【０００４】
図中４０，４０は、販売店の出入口に対向配置させたゲートパネルであり、ゲートパネル４０，４０は、常時、所定信号を適宜領域に発信している。
ゲートパネル４０は、所定信号を生成する信号生成回路と該信号生成回路にて生成された信号を発するためのアンテナ出力部とを備えており、信号生成回路に電力を供給する制御用電源とアンテナ出力部に電力を供給する出力用電源とを有する。
盗難防止タグ５０は、ゲートパネル４０，４０から送信された信号を受信するアンテナ入力部、該アンテナ入力部にて受信した信号が所定信号であるか否かを判断する信号処理部、盗難を防止すべき商品Ｔに対する取付け状態を検出する検出部、所定信号を受信した場合、又は商品Ｔから不適当に取外された場合に警報を出力するブザー、及び電源等を内蔵している。
ゲートパネル４０，４０から発せられた信号は空気中で減衰するため、信号の到達距離がある。また、盗難防止タグ５０でも、受信した信号の大きさが所定値よりも小さい場合、警報を出力させるための信号とみなさないようにしているため、ゲートパネル４０，４０から発信される信号には、ゲートパネル４０と盗難防止タグ５０との組合わせから定まる信号の到達距離がある。何者かが盗難防止タグ５０を取付けた商品を持ち去り、出口から出ようとして、ゲートパネル４０，４０から発せられる信号の到達距離範囲内に入った場合、盗難防止タグ５０のアンテナ入力部は、その信号を受信し、警報が出力されるようになっている。
【０００５】
図１１は、従来の盗難防止タグの斜視図である。
【０００６】
直方体の盗難防止タグ５０の表面５１に、開孔部５２が設けられており、該開孔部５２からプッシュスイッチ５３のレバー５４が進退可能に突出している。レバー５４は、表面５１から隔離する方向へ付勢されており、レバー５４に所要の押圧力を加えた場合、レバー５４は盗難防止タグ５０の内部へ後退して、プッシュスイッチ５３が開路する。押圧力が除かれた場合、プッシュスイッチ５３は開孔部５２から外側へ突出して、プッシュスイッチ５３が閉路する。
盗難を防止すべき商品Ｔに盗難防止タグ５０を取付ける場合、プッシュスイッチ５３のレバー５４が突出している表面５１を商品Ｔに当接させ、盗難防止タグ５０を商品Ｔと共に、合成樹脂製の透明シート又は半透明シート等のシート部材で巻回することにより、盗難防止タグ５０を商品Ｔに固定する。
【０００７】
盗難防止タグ５０は、ゲートパネル４０から発信された信号を受信するためのアンテナ入力部、プッシュスイッチ５３の開閉状態を検出する検出部、警報を出力するブザー、及びこれらを駆動する電源等を内蔵している。
盗難防止タグ５０では、ゲートパネル４０から発信された信号を受信した場合、又は、プッシュスイッチ５３が閉路したことを検出部が検出した場合、ブザーを作動させ、警報音を出力する。すなわち、前述のシート部材が引き剥がされ、盗難防止タグ５０が商品Ｔから取外された場合、プッシュスイッチ５３のレバー５４が、盗難防止タグ５０の外側へ付勢されて、プッシュスイッチ５３が閉路し、警報を出力する。また、盗難防止タグ５０を固定させたまま、商品Ｔを販売店から持ちだそうとして、ゲートパネル４０，４０に近づき、ゲートパネル４０，４０から発信される信号の到達範囲内に入った場合、盗難防止タグ５０は、ゲートパネル４０，４０から発信された信号を受信して、警報を出力する。
【０００８】
しかしながら、販売店の間取りによっては、ゲートパネル４０，４０から発信される信号の到達距離を変更したい場合が生じる。例えば、販売店の売り場面積が狭く、ゲートパネル４０，４０のすぐ近くに商品棚を設置して、商品Ｔを陳列せざるを得ない場合、ゲートパネル４０，４０から発信される信号の到達距離が短くなるように設定する必要がある。
また、販売店の間口によっても、ゲートパネル４０，４０から発信される信号の到達距離を変更する必要がある。すなわち、間口が広い場合には、２つのゲートパネル４０，４０間の中程で、それぞれのゲートパネル４０，４０からの信号が届かない領域ができないように、発信される信号の到達距離を長くする必要があり、逆に、間口が狭い場合には、発信される信号の到達距離を短くすることが可能である。
【０００９】
このような問題に対処するため、従来のゲートパネル４０では、信号生成回路に供給する制御用電源とアンテナに供給する出力用電源とを用意し、出力用電源を調整することでゲートパネル４０から発信する信号の到達距離を調整していた。
すなわち、信号の到達距離を短くする場合は、出力用電源の出力を抑えて、アンテナ出力部から発信される信号の大きさを小さくし、逆に、信号の到達距離を長くする場合は、出力用電源の出力を上げて、アンテナ出力部から発信される信号の大きさを大きくすることが行われていた。
【００１０】
【発明が解決しようとする課題】
しかしながら、従来のゲートパネルでは、信号生成回路に供給する制御電源とアンテナ出力部に供給する出力電源とを共通化して、一つの電源により動作させようとする場合、アンテナ出力部のアンテナ回路（例えば、ＬＣ回路）にかける電圧は、信号生成回路等の制御回路の動作電圧より小さく設定することができないため、信号の到達距離を変更することが困難であった。したがって、発信する信号の到達距離を調整するために、制御電源及び出力電源の２つの電源を用意する必要であるため、コンパクトであり、しかも安価なゲートパネル、並びにゲートパネル及び盗難防止タグからなる盗難防止システムの開発が望まれていた。
【００１１】
本発明は斯かる事情に鑑みてなされたものであり、パルス信号を生成する信号生成回路、及び生成されたパルス信号の入力に応じた信号を発信する発信回路を備える発信装置と、発信された信号を受信する受信回路と、受信した信号に基づき警報を出力すべくなしてある盗難防止タグとを備え、生成するパルス信号のパルス幅を変更することができる構成とすることにより、複数の電源を利用することなく、発信装置から発信する信号の到達距離を容易に変更することが可能であり、発信された信号の到達範囲内に入った場合、警報を出力することができる盗難防止システムを提供することを目的とする。
【００１４】
本発明の更に他の目的は、受信した信号の振幅を所定値と比較して大きい場合にのみ、受信した信号の解析を行うことにより、発信装置から発信される信号の到達範囲内に入った場合、警報を出力することができる盗難防止タグを提供することにある。
【００１５】
本発明の更に他の目的は、受信した信号の周波数に係る情報を取得することにより、信号の周波数により受信信号を識別して、警報を出力させることができる盗難防止タグを提供することにある。
【００１６】
【課題を解決するための手段】
第１発明に係る盗難防止システムは、パルス信号を生成する信号生成回路、及び該信号生成回路により生成されたパルス信号に対する入力端子を有し、入力されたパルス信号に応じた信号を発信する発信回路を備える発信装置と、盗難を防止すべき対象物への取付け状態を検出する検出回路、前記発信装置から発信された信号を受信する受信回路、及び該受信回路が受信した信号の解析を行う信号解析部を備え、前記検出回路による検出結果又は前記信号解析部による解析結果に基づき警報を出力すべくなしてある盗難防止タグとを備える盗難防止システムにおいて、前記信号生成回路は、生成するパルス信号のパルス幅を変更可能になしてあり、前記信号解析部は、受信した信号の振幅が所定値より大きい場合にのみ、解析すべくなしてあることを特徴とする。
【００１９】
第２発明に係る盗難防止システムは、前記発信回路から発信される信号は、前記発信回路に入力するパルス信号を変調させた信号であることを特徴とする。
【００２０】
第３発明に係る盗難防止システムは、前記信号解析部は、受信した信号の周波数に係る情報を取得すべくなしてあることを特徴とする。
【００２３】
第４発明に係る盗難防止タグは、盗難を防止すべき対象物への取付け状態を検出する検出回路と、前記発信装置から発信された信号を受信する受信回路と、該受信回路が受信した信号の解析を行う信号解析部とを備え、前記検出回路による検出結果又は前記信号解析部による解析結果に基づき警報を出力すべくなしてある盗難防止タグにおいて、前記信号解析部は、受信した信号の振幅が所定値より大きい場合にのみ、解析すべくなしてあることを特徴とする。
【００２４】
第５発明に係る盗難防止タグは、前記信号解析部は、受信した信号の周波数に係る情報を取得すべくなしてあることを特徴とする。
【００２５】
本発明にあっては、信号生成回路が生成する信号のパルス幅を調整することによって、アンテナ回路に流れる電流の大きさを調整することが可能となり、その結果、アンテナ回路から発信される信号の大きさを調整することができる。そのため、複数の電源を利用することなく、発信回路に入力するパルス信号を調整することによって、発信装置から発信する信号の到達距離を容易に変更することが可能であり、発信された信号の到達範囲内に入った場合、盗難防止タグは、警報を出力することができる。
【００２６】
本発明にあっては、発信回路に入力した信号を変調した後、発信するようにしている。したがって、変調周期を変更することにより、発信装置から発信する信号を異ならせることができる。
【００２７】
本発明にあっては、受信した信号の振幅が所定値より大きい場合にのみ、解析するようにしている。したがって、発信装置から発信された信号の到達範囲内に入った場合、警報を出力することができる。
【００２８】
本発明にあっては、受信した信号の周波数に係る情報を取得するようにしている。したがって、発信装置から発信された信号を周波数により識別して、警報を出力することができる。
【００３１】
本発明にあっては、受信した信号の振幅を所定値と比較して大きい場合にのみ、受信した信号の解析を行い、その解析結果に基づき警報を出力するようにしている。したがって、発信装置から発信される信号の到達範囲内に入った場合にのみ、盗難防止タグは、警報を出力することができる。
【００３２】
本発明にあっては、受信した信号の周波数に係る情報を取得するようにしている。したがって、発信装置から発信された信号を周波数により識別して、警報を出力することができる。
【００３３】
【発明の実施の形態】
以下、本発明をその実施の形態を示す図面に基づいて具体的に説明する。
図１は、本発明の盗難防止システムを説明する説明図であり、図２は、本発明の盗難防止タグの一例を示す斜視図である。
【００３４】
図２に示したように、直方体の盗難防止タグ２の一端面には、ワイヤ２０の差込み部を差込む２つの差込み穴が開設してあり、両差込み穴に、導電性のワイヤ２０の両端部が着脱可能に嵌合してある。このような盗難防止タグ２を衣服などの商品Ｔに取り付ける場合、ワイヤ２０の一端を盗難防止タグ２の一方の差込み穴に嵌着させておき、ワイヤ２０の他端を上着又はシャツのボタン穴、又は衣類の襟元に設けた商品タグ等、商品Ｔの取付け部位に挿通させ、ワイヤ２０の他端を盗難防止タグ２の他方の差込み穴に挿入させる。
【００３５】
販売店の出入口近辺には、所定の信号を発信するゲートパネル１，１が対向配置してある。ゲートパネル１，１は、適宜領域に所定の信号を発信するようになしてある。盗難防止タグ２は、ゲートパネル１，１から発信された信号を受信するアンテナ入力部２１、ブザー２７等を内蔵している（図３参照）。盗難防止タグ２は、ゲートパネル１，１から所定の信号を受信した場合、警報を出力することによって、商品Ｔの盗難を防止する。
【００３６】
また、前述のワイヤ２０は、常閉接点として機能しており、盗難防止タグ２を商品Ｔから取り外すべく、盗難防止タグ２の差込み穴からワイヤ２０を抜出した場合、又はワイヤ２０を切断した場合、盗難防止タグ２の検出部２４（図３参照）はそれを検出し、警報を出力する。
【００３７】
図３は、本発明の盗難防止システムのブロック図である。
図中１は、販売店の出入口近辺に設置し、所定の信号を盗難防止タグ２へ発信するゲートパネルである。
ゲートパネル１は、所定周期（例えば、２２ｋＨｚ）のパルス信号を生成する信号生成回路１１、及び信号生成回路１１から入力された信号に応じた信号を発信するアンテナ出力部１２を備えている。
信号生成回路１１では、所定周期のパルス信号を生成すると共に、バースト制御信号を生成し、これらのパルス信号及びバースト制御信号に基づいて後述するようなコード信号を生成する。このコード信号のＨレベル部分は、所定周期のパルス信号から構成され、信号生成回路１１がパルス信号のパルス幅を調整することによって、アンテナ出力部１２から出力される信号の振幅を調整する。
【００３８】
盗難防止タグ２は、ゲートパネル１のアンテナ出力部１２から出力される信号を受信し、コード信号に変換して出力するアンテナ入力部２１、アンテナ入力部２１から与えられたコード信号を識別するコード識別部２２を備えている。信号処理部２５は、コード識別部２２から入力された信号に基づき、駆動部２６に警報信号を与え、ブザー２７及びＬＥＤ２８を駆動させる。
また、盗難防止タグ２は検出部２４を備えている。検出部２４は、前述したように、盗難を防止すべき商品Ｔへの盗難防止タグ２の取付け状態を検出する。商品Ｔに盗難防止タグ２を正常に取付けている場合、盗難防止タグ２のワイヤ２０は常閉接点として機能しており、警報は出力されない。一方、ワイヤ２０を盗難防止タグ２の差込み穴から引き抜いて、盗難防止タグ２を商品Ｔから不適当に取外した場合、又は、ワイヤ２０を切断して商品Ｔから不適当に取外した場合、検出部２４は、ワイヤ２０に導通が無いことを検出し、入力部２３に所定の信号を与える。信号処理部２５は、入力部２３から与えられた信号に基づき、警報信号を駆動部２６に与え、ブザー２７及びＬＥＤ２８を駆動させる。
【００３９】
また、商品Ｔの入れ替え作業等の理由で、警報を出力させずに盗難防止タグ２を商品Ｔから取外す必要がある場合、例えば、リセット信号のような特定の信号を発信する発信機（不図示）を用いて、盗難防止タグ２のアンテナ入力部２１にリセット信号を与える。
この場合、検出部２４が、ワイヤ２０に導通が無いことを検出して、本来なら警報が出力されるような状態であっても、信号処理部２５は、駆動部２６に警報信号を与えることはなく、警報が出力されないようになっている。
【００４０】
図４は、アンテナ出力部１２の詳細を示すブロック図である。
アンテナ出力部１２は、ブリッジ回路からなり、その４つの入力端子ｔ１，ｔ２，ｔ３，ｔ４に信号生成回路１１からの信号が入力されることによって、入力された信号に応じた出力電圧がコイルＬに加わり、信号が発信される。
入力端子ｔ１とｔ３との間に出力用電源Ｖｏが接続されており、入力端子ｔ２とｔ４との間は、接地されている。また、入力端子ｔ１とｔ２との間にはコイルＬの一方の端子が接続されており、入力端子ｔ３とｔ４との間にはコイルＬの他方の端子が接続されている。
また、信号生成回路１１からの接続線は、入力端子ｔ１及びｔ４に同一の信号が入力されるように接続されており、入力端子ｔ２及びｔ３に同一の信号が入力されるように接続されている。
【００４１】
図５は、アンテナ出力部１２に入力される信号の一例を示す波形図である。
図５（ａ）に示すように、信号Ｓ１は、入力端子ｔ１及びｔ４（又は、入力端子ｔ２及びｔ３）に入力する信号であり、周期ｆ（例えば、２２ｋＨｚ）の方形波により構成されている。同様に、信号Ｓ２は、周期ｆ、信号Ｓ１と逆位相の方形波により構成され、入力端子ｔ２及びｔ３（又は、入力端子ｔ１及びｔ４）に入力される。
各入力端子ｔ１，ｔ２，ｔ３，ｔ４に信号Ｓ１及びＳ２が入力された場合、コイルＬにかかる電圧は、最大電圧Ｖin、周期ｆを有するパルス電圧となる（図５（ｃ））。また、この場合、コイルＬに流れる電流は、振幅Ｉin、周期ｆを有する略正弦波形となる。
従って、アンテナ出力部１２から発信される信号は、振幅Ｉinに比例した振幅を有する信号となる。
【００４２】
一方、周期ｆを変更せずに、パルス幅を狭めた信号Ｓ１’及びＳ２’（図５（ｅ）及び（ｆ））をアンテナ出力部１２に入力した場合、コイルＬにかかる電圧は、周期及び最大電圧Ｖin’が変化せず、パルス幅のみ小さくなる。この場合、コイルＬに流れる電流の振幅Ｉin’は小さくなり、その結果、アンテナ出力部１２から発信される信号の振幅も減少することになる。
このように、本発明のゲートパネル１では、アンテナ出力部１２に入力する信号を調整することにより、アンテナ出力部１２から発信される信号の大きさを調整することができる。
【００４３】
図６は、アンテナ出力部１２に入力するパルス幅と信号到達距離との関係を示すグラフである。
横軸には、アンテナ出力部１２に入力するパルス幅（デューティ［％］）をとり、縦軸には、信号到達距離をとったものである。ここで、信号到達距離は、ゲートパネル１から信号が発信されている状態で、盗難防止タグ２をゲートパネル１から離れた地点から近づけてゆき、初めて警報が出力されたときのゲートパネル１と盗難防止タグ２との間の距離である。
図６の結果から、アンテナ出力部１２に入力する信号のパルス幅によって、信号到達距離は、比例的に変化することが分かる。信号到達距離を長くしたい場合には、パルス幅を広くすることによって長くすることが可能であり、逆に、信号到達距離を短くしたい場合には、パルス幅を狭めることによって短くすることが可能である。発明者等の観測結果では、デューティ１４．７％にした場合、信号到達距離は、およそ１８０ｃｍであり、デューティ２１．９％にした場合、信号の到達距離は、２４０ｃｍであった。
このように、本発明では、アンテナ出力部１２に入力するパルス信号のパルス幅を変更することによって、容易に信号到達距離を変えることが可能である。
【００４４】
また、信号生成回路１１は、所定周期の信号Ｓ１、Ｓ２、及びバースト制御信号を利用して、後述するようなコード信号を生成する。
図７及び図８は、ゲートパネル１が発信するコード信号の構成例を説明する説明図である。
コード信号は、スタートビット及びデータビットからなる１４０ｍｓｅｃの長さのフレームからなり、ゲートパネル１からは、常時、コード信号と５０ｍｓｅｃの長さのＬレベルのフレームとを交互に発信している。
コード信号の先頭にあるスタートビットは、２０ｍｓｅｃの長さであり、立ち上がりから１５ｍｓｅｃがＨレベルであり、残りの５ｍｓｅｃがＬレベルである。データビットは、データビット”０”、及びデータビット”１”の組み合わせにより構成される。データビット”０”は、８ｍｓｅｃの長さであり、立ち上がりから２ｍｓｅｃがＨレベル、残りの６ｍｓｅｃがＬレベルである。データビット”１”は、１２ｍｓｅｃの長さであり、立ち上がりから８ｍｓｅｃがＨレベルであり、残りの４ｍｓｅｃがＬレベルである。
【００４５】
このコード信号は、スタートビットＳ０とそれに続くデータビットＤ０〜Ｄ１１とで構成されいる。データビットＤ０〜Ｄ１１の内、データビットＤ０〜Ｄ５がデータコードであり、これらは、インタリーブされて、Ｄ２Ｄ３Ｄ４Ｄ５Ｄ０Ｄ１の順に発信される。
データビットＤ６〜Ｄ１１は、図７に示すように、データコードＤ０〜Ｄ５のビット反転したものであり、受信側で更に反転されて、Ｄ０からＤ５までのデータコードとＤ６からＤ１１までのデータコードが等しい場合に、正確に信号を受信したものと確認するためのものである。
例えば、データコードＤ０からＤ５が”０１０１０１”である場合、コード信号は、”Ｓ０  ０１０１０１１０１０１０”となる。
【００４６】
図９は、盗難防止タグ２が受信した信号を処理する手順を示したフローチャートである。
【００４７】
アンテナ入力部２１は、盗難防止タグ２が設置された区域の出入口等に設置されたゲートパネル１からの信号を受信している間のみ、ＨレベルのＬＦＩＮ信号を作成することにより復調する。
まず、アンテナ入力部２１は、何らかの信号を受信したか否かを判断する（ステップＳ１）。信号を受信していない場合（Ｓ１：ＮＯ）、信号を受信するまで待機する。
信号を受信した場合（Ｓ１：ＹＥＳ）、受信した信号の振幅が所定値より大きいか否かを判断する（ステップＳ２）。受信した信号の大きさが所定値より小さい場合（Ｓ２：ＮＯ）、処理をＳ１へ戻す。
【００４８】
次いで、アンテナ入力部２１は、信号の立上がりから例えば５秒毎のレベルを検出することにより、ＬＦＩＮ信号のＨレベル部分（ＬＦＩＮ（Ｈ））が、１２ｍｓｅｃより長いか否かを判断し（ステップＳ３）、長くない場合（Ｓ３：ＮＯ）、無意味な信号として無視する。長い場合（Ｓ３：ＹＥＳ）、このＬＦＩＮ信号をスタートビットＳ０として、データビットの読み込みを開始する（ステップＳ４）。
【００４９】
アンテナ入力部２１は、復調したＬＦＩＮ信号の長さを、例えば立ち上がりから５秒毎のレベルを検出することにより比較する。
アンテナ入力部２１は、読み込んだデータビットのＬＦＩＮ（Ｈ）の長さが２０ｍｓｅｃより長いか否かを比較し（ステップＳ５）、長い場合（Ｓ５：ＹＥＳ）、無意味な信号として、以下の読み込みを中止する。また、読み込んだデータビットのＬレベルのＬＦＩＮ信号（ＬＦＩＮ（Ｌ））の長さが２０ｍｓｅｃより長いか否かを判断し（ステップＳ６）、長い場合（Ｓ６：ＹＥＳ）、無意味な信号として、以下の読み込みを中止する。
アンテナ入力部２１は、また、データビットの読み込み中に、新たなスタートビットＳ０を確認した場合は、すでに読み込んだデータビットを廃棄して、新たにデータビットの読み込みを開始する。
【００５０】
アンテナ入力部２１は、データビットを１２ビット読み込んだ場合、データビットの読み込みを完了する（ステップＳ７）。次いで、アンテナ入力部２１は、読み込んだデータビットのＤ０〜Ｄ５とＤ６〜Ｄ１１の反転信号とが一致するか否かを判断し（ステップＳ８）、一致していない場合（Ｓ８：ＮＯ）、正確に受信できなかったとして、読み込んだデータビットを廃棄する。一致する場合（Ｓ８：ＹＥＳ）、読み込んだデータビットのＬＦＩＮ信号の列をコードとしてコード識別部２２へ与える。
コード識別部２２は、与えられたコードを識別し（ステップＳ９）、所定のコードであるか否かを判断する（ステップＳ１０）。所定のコードでない場合（Ｓ１０：ＮＯ）、異なる種類のコード信号であると判断して、処理をＳ１へ戻す。
所定のコード信号であると判断した場合（Ｓ１０：ＹＥＳ）、信号処理部２５に警報信号を与えることによって、駆動部２６を駆動させ、ブザー２７及びＬＥＤ２８を駆動して警報を出力する（ステップＳ１１）。
【００５１】
本実施の形態では、ワイヤ２０によって、盗難防止タグ２を商品Ｔに取付けるようになした盗難防止タグ２について説明したが、本発明は、これに限らず、直方体状の筐体の一面にプッシュスイッチのレバーを進退自在に設けておき、該プッシュスイッチのレバーを商品Ｔに当接させることによってレバーを筐体内へ後退させ、筐体及び商品を合成樹脂製のシート部材で巻回することによって筐体を対象物に固定するようになした盗難防止装置にも適用することができる。プッシュスイッチのレバーは、筐体から離隔する方向へ付勢してあり、対象物から筐体が取外された場合、レバーが突出して警報が出力されるようにしている。
【００５２】
尚、特許請求の範囲の項に図面との対照を便利にする為に符号を記すが、該記入により本発明は添付図面の構造に限定されるものではない。
【００５３】
【発明の効果】
以上、詳述したように、本発明による場合は、信号生成回路が生成する信号のパルス幅を調整することによって、アンテナ回路に流れる電流の大きさを調整することが可能となり、その結果、アンテナ回路によって発信される信号の大きさを調整することができる。そのため、複数の電源を利用することなく、発信回路に入力するパルス信号を調整することによって、発信装置から発信する信号の到達距離を容易に変更することが可能であり、発信された信号の到達範囲内に入った場合、盗難防止タグは、警報を出力することができる。
【００５４】
本発明による場合は、発信回路に入力した信号を変調した後、発信するようにしている。したがって、変調周期を変更することにより、発信装置から発信する信号を異ならせることができる。
【００５５】
本発明による場合は、受信した信号の振幅が所定値より大きい場合にのみ、解析するようにしている。したがって、発信装置から発信された信号の到達範囲内に入った場合、警報を出力することができる。
【００５６】
本発明による場合は、受信した信号の周波数に係る情報を取得するようにしている。したがって、発信装置から発信された信号を周波数により識別して、警報を出力することができる。
【００５９】
本発明による場合は、受信した信号の振幅を所定値と比較して大きい場合にのみ、受信した信号の解析を行い、その解析結果に基づき警報を出力するようにしている。したがって、発信装置から発信される信号の到達範囲内に入った場合にのみ、盗難防止タグは、警報を出力することができる。
【００６０】
本発明による場合は、受信した信号の周波数に係る情報を取得するようにしている。したがって、発信装置から発信された信号を周波数により識別して、警報を出力することができる等、本発明は優れた効果を奏する。
【図面の簡単な説明】
【図１】本発明の盗難防止システムを説明する説明図である。
【図２】本発明の盗難防止タグの一例を示す斜視図である。
【図３】本発明の盗難防止システムのブロック図である。
【図４】アンテナ出力部の詳細を示すブロック図である。
【図５】アンテナ出力部に入力される信号の一例を示す波形図である。
【図６】アンテナ出力部に入力するパルス幅と信号到達距離との関係を示すグラフである。
【図７】ゲートパネルが発信するコード信号の構成例を説明する説明図である。
【図８】ゲートパネルが発信するコード信号の構成例を説明する説明図である。
【図９】盗難防止タグが受信した信号を処理する手順を示したフローチャートである。
【図１０】従来の盗難防止システムを説明する模式図である。
【図１１】従来の盗難防止タグの斜視図である。
【符号の説明】
１  ゲートパネル
１１  信号生成回路
１２  アンテナ出力部
２    盗難防止タグ
２０  ワイヤ
２１  アンテナ入力部
２２  コード識別部
２３  入力部
２４  検出部
２５  信号処理部
２６  駆動部
２７  ブザー
２８  ＬＥＤ
【図１】
0004723774.tif 000002
【図２】
0004723774.tif 000003
【図３】
0004723774.tif 000004
【図４】
0004723774.tif 000005
【図５】
0004723774.tif 000006
【図６】
0004723774.tif 000007
【図７】
0004723774.tif 000008
【図８】
0004723774.tif 000009
【図９】
0004723774.tif 000010
【図１０】
0004723774.tif 000011
【図１１】
0004723774.tif 000012